(57)【要約】【課題】記録媒体の状態に応じた処理を実行することができる制御プログラム及び制御装置の提供。【解決手段】コンピュータを、記録媒体が特定の記録媒体であるかを判断する第１の判断手段、特定の記録媒体に対して該記録媒体に既に画像データが記録されているかを判断する第２の判断手段、画像データが既に記録されている場合に該画像データが所定のルールに従って記録されているかを判断する第３の判断手段、特定の記録媒体かつ画像データが記録されていない場合には書き込み処理を実行し、特定の記録媒体かつ画像データが所定のルールに従って記録されている場合は表示処理を実行し、特定の記録媒体かつ画像データが所定のルールに従って記録されていない場合はその旨を警告する処理を実行する制御手段として機能させる。これによりユーザが判断しなくても記録媒体の状態に応じた処理を行うことができる。【選択図】図７
2006033191.tif 000002
【特許請求の範囲】
【請求項１】
コンピュータを、
装填された記録媒体が特定の記録媒体であるかを判断する第１の判断手段、
前記記録媒体が特定の記録媒体である場合に、該記録媒体に既に画像データが記録されているかを判断する第２の判断手段、
前記画像データが既に記録されていることを条件として、該画像データに基づく画像を表示手段に表示させ、画像データが記録されていないことを条件として、記録手段に、画像データを前記記録媒体に記録させる制御手段、として機能させることを特徴とする制御プログラム。
【請求項２】
コンピュータを、更に、
前記記録媒体に既に前記画像データが記録されている場合に、該画像データが所定のルールに従って記録されているかを判断する第３の判断手段として機能させ、
前記制御手段では、前記画像データが前記所定のルールに従って記録されていることを条件として、該画像データに基づく画像を表示手段に表示させることを特徴とする請求項１記載の制御プログラム。
【請求項３】
前記制御手段では、前記画像データが前記所定のルールに従って記録されていないことを条件として、前記所定のルールに従って記録されていない旨を表示手段に表示させることを特徴とする請求項２記載の制御プログラム。
【請求項４】
前記所定のルールとは、前記画像データを予め定められたディレクトリ構造で記録するルール、前記画像データを予め定められたファイル形式のデータとして記録するルール、前記記録媒体に前記画像データと共に該画像データを管理するための特定の情報ファイルを記録するルール、又は、前記記録媒体に前記画像データと共に該画像データを処理する特定のアプリケーションを記録するルール、のいずれか一つを含むことを特徴とする請求項２又は３に記載の制御プログラム。
【請求項５】
前記第１の判断手段では、前記記録媒体の論理アドレス領域外に特定の識別情報が記録されている場合に、該記録媒体を特定の記録媒体と判断することを特徴とする請求項１乃至４のいずれか一に記載の制御プログラム。
【請求項６】
装填された記録媒体が特定の記録媒体であるかを判断する第１の判断手段と、
前記記録媒体が特定の記録媒体である場合に、該記録媒体に既に画像データが記録されているかを判断する第２の判断手段と、
前記画像データが既に記録されている場合に、前記記録媒体から前記画像データを読み取って、該画像データに基づく画像を表示手段に表示させ、画像データが記録されていない場合に、他の記録手段から画像データを読み取って、記録手段に、該画像データを前記記録媒体に記録させる制御手段と、を少なくとも備えることを特徴とする制御装置。
【請求項７】
更に、
前記記録媒体に前記画像データが既に記録されている場合に、該画像データが所定のルールに従って記録されているかを判断する第３の判断手段を備え、
前記制御手段では、前記画像データが前記所定のルールに従って記録されていることを条件として、該画像データに基づく画像を表示手段に表示させることを特徴とする請求項６記載の制御装置。
【請求項８】
前記制御手段では、前記画像データが前記所定のルールに従って記録されていないことを条件として、前記所定のルールに従って記録されていない旨を表示手段に表示させることを特徴とする請求項７記載の制御装置。
【請求項９】
前記所定のルールとは、前記画像データを予め定められたディレクトリ構造で記録するルール、前記画像データを予め定められたファイル形式のデータとして記録するルール、前記記録媒体に前記画像データと共に該画像データを管理するための特定の情報ファイルを記録するルール、又は、前記記録媒体に前記画像データと共に該画像データを処理する特定のアプリケーションを記録するルール、のいずれか一つを含むことを特徴とする請求項７又は８に記載の制御装置。
【請求項１０】
前記第１の判断手段では、前記記録媒体の論理アドレス領域外に特定の識別情報が記録されている場合に、該記録媒体を特定の記録媒体と判断することを特徴とする請求項６乃至９のいずれか一に記載の制御装置。
【発明の詳細な説明】
【技術分野】
【０００１】
本発明は、記録媒体の状態に応じた処理を実行する制御プログラム及び制御装置に関する。
【背景技術】
【０００２】
近年、写真に関連する様々なサービスが提供されるようになってきている。例えば、写真を撮影したデジタルカメラやデジタルカメラ用メディアをミニラボ等の写真店に持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
また、デジタルカメラやメディアから読み取った画像データに基づいて、ＤＶＤプレーヤやＤＶＤレコーダ、ＨＤＤレコーダ、ゲーム機などで再生可能な形式の画像データを生成し、元の画像データと生成した画像データとをＣＤ−ＲやＤＶＤ−Ｒなどの記録媒体に書き込むこともできる。
【０００４】
また、画像データを記録媒体に書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データを記録媒体に書き込んだり、読み取った画像データに基づいて画像再生機器用データを生成して記録媒体に書き込むこともできる。
【０００５】
【特許文献１】特開平５−１８２３７３号公報（第４−６頁、第３図）
【発明の開示】
【発明が解決しようとする課題】
【０００６】
ここで、デジタルカメラやメディアから読み取った画像データや生成された画像再生機器用データを書き込む場合は、画像データが書き込まれていないブランクの記録媒体を上記端末やコンピュータ機器に装填し、また、記録された画像データを表示させる場合は、上記方法で画像データが記録された記録媒体を上記端末やコンピュータ機器に装填することになるが、上記端末や上記アプリケーションがインストールされたコンピュータ機器では、装填された記録媒体が特定の記録媒体であるか、該記録媒体に画像データが記録されているかなどは判断されないため、画像データが記録されている記録媒体に対して更にデータの書き込みを行ってしまう場合もある。そのため、ユーザ自身が特定の記録媒体であるか、記録媒体に画像データが記録されているかなどを調べなければならず、操作が煩雑になるという問題があった。
【０００７】
また、上記サービスを利用して画像データを書き込む場合、画像データのディレクトリ構造やファイル形式、画像データと共に記録されるデータやアプリケーションなどのルールはサービス提供者によって様々であり、特定のアプリケーションを用いて画像データを表示させる場合、該アプリケーションでの再生に適したルールで画像データが記録されている必要がある。しかしながら、上記端末や上記アプリケーションがインストールされたコンピュータ機器では、画像データが所定のルールに従って記録されているかなどは判断せずに表示を行うため、画像データを効果的に表示することができず、また、ユーザは所定のルールに従って画像データが記録されているか否かも分からないため、改めて画像データを記録し直すなどの処理を行うこともできないという問題もあった。
【０００８】
そして、このような問題は、写真画像に基づく静止画像データに限らず、デジタルカメラなどで撮影して得られた動画データやインターネットなどを介して取得した音楽データ、コンテンツデータなどにおいても同様に生じる。
【０００９】
本発明は、上記問題点に鑑みてなされたものであって、その主たる目的は、記録媒体の状態に応じた処理を実行することができる制御プログラム及び制御装置を提供することにある。
【課題を解決するための手段】
【００１０】
上記目的を達成するため、本発明の制御プログラムは、コンピュータを、装填された記録媒体が特定の記録媒体であるかを判断する第１の判断手段、前記記録媒体が特定の記録媒体である場合に、該記録媒体に既に画像データが記録されているかを判断する第２の判断手段、前記画像データが既に記録されていることを条件として、該画像データに基づく画像を表示手段に表示させ、画像データが記録されていないことを条件として、記録手段に、画像データを前記記録媒体に記録させる制御手段、として機能させるものである。
【００１１】
本発明においては、コンピュータを、更に、前記記録媒体に既に前記画像データが記録されている場合に、該画像データが所定のルールに従って記録されているかを判断する第３の判断手段として機能させ、前記制御手段では、前記画像データが前記所定のルールに従って記録されていることを条件として、該画像データに基づく画像を表示手段に表示させる構成とすることができる。
【００１２】
また、本発明においては、前記制御手段では、前記画像データが前記所定のルールに従って記録されていないことを条件として、前記所定のルールに従って記録されていない旨を表示手段に表示させる構成とすることもできる。
【００１３】
また、本発明においては、前記所定のルールとは、前記画像データを予め定められたディレクトリ構造で記録するルール、前記画像データを予め定められたファイル形式のデータとして記録するルール、前記記録媒体に前記画像データと共に該画像データを管理するための特定の情報ファイルを記録するルール、又は、前記記録媒体に前記画像データと共に該画像データを処理する特定のアプリケーションを記録するルール、のいずれか一つを含むことが好ましい。
【００１４】
また、本発明においては、前記第１の判断手段では、前記記録媒体の論理アドレス領域外に特定の識別情報が記録されている場合に、該記録媒体を特定の記録媒体と判断する構成とすることもできる。
【００１５】
また、本発明の制御装置は、装填された記録媒体が特定の記録媒体であるかを判断する第１の判断手段と、前記記録媒体が特定の記録媒体である場合に、該記録媒体に既に画像データが記録されているかを判断する第２の判断手段と、前記画像データが既に記録されている場合に、前記記録媒体から前記画像データを読み取って、該画像データに基づく画像を表示手段に表示させ、画像データが記録されていない場合に、他の記録手段から画像データを読み取って、記録手段に、該画像データを前記記録媒体に記録させる制御手段と、を少なくとも備えるものである。
【００１６】
本発明においては、更に、前記記録媒体に前記画像データが既に記録されている場合に、該画像データが所定のルールに従って記録されているかを判断する第３の判断手段を備え、前記制御手段では、前記画像データが前記所定のルールに従って記録されていることを条件として、該画像データに基づく画像を表示手段に表示させる構成とすることができる。
【００１７】
このように、本発明の構成によれば、装填された記録媒体が特定の記録媒体であるか、該記録媒体に既に画像データが記録されているか、該画像データが所定のルールに従って記録されているかに応じて、画像データの書き込みや画像データの表示、所定のルールに従って記録されていない旨の警告が行われるため、ユーザ自らが、装填した記録媒体が特定の記録媒体であるか、該記録媒体に既に画像データが記録されているか、該画像データが所定のルールに従って記録されているかなどを調べなくても、記録媒体に適した処理を実行することができ、これにより、操作性を格段に向上させることができる。
【発明の効果】
【００１８】
本発明によれば、ユーザは記録媒体を装填するだけで、その記録媒体が特定の記録媒体であるか、該記録媒体に画像データが記録されているか、該画像データが所定のルールに従って記録されているかなどを調べることなく、記録媒体に適した処理を実行することができ、これにより、操作性を格段に向上させることができる。
【００１９】
その理由は、制御プログラムでは、所定の領域に記録されている識別情報に基づいて装填された記録媒体が特定の記録媒体であるかを判断し、特定の記録媒体と判断した場合は、該記録媒体に既に画像データが記録されているかを判断し、画像データが記録されていない場合は画像データの書き込みを実行し、画像データが記録されている場合は、必要に応じて、該画像データが所定のルールに従って記録されているかを判断し、所定のルールに従って記録されている場合は該画像データの表示を実行し、所定のルールに従って記録されていない場合はユーザにその旨を警告する制御を行うからである。
【発明を実施するための最良の形態】
【００２０】
本発明に係る制御プログラムは、その好ましい一実施の形態において、コンピュータを、記録媒体の所定の領域に特定の識別情報が記録されているかに基づいて、装填された記録媒体が特定の記録媒体であるかを判断する第１の判断手段、特定の記録媒体に対して、該記録媒体に既に画像データが記録されているかを判断する第２の判断手段、画像データが既に記録されている場合に、該画像データが所定のルールに従って記録されているかを判断する第３の判断手段、装填された記録媒体が特定の記録媒体であり、かつ、画像データが記録されていない場合には所定の書き込み処理を実行する記録制御手段、装填された記録媒体が特定の記録媒体であり、かつ、画像データが所定のルールに従って記録されている場合は所定の表示処理を実行し、装填された記録媒体が特定の記録媒体であり、かつ、画像データが所定のルールに従って記録されていない場合はその旨を警告する処理を実行する表示制御手段、として機能させるものであり、ユーザ自らが、装填された記録媒体が特定の記録媒体であるか、該記録媒体に画像データが記録されているか、該画像データが所定のルールに従って記録されているかなどを調べなくても、記録媒体の状態に応じた適切な処理を実行することができ、これにより、操作性を格段に向上させることができる。
【実施例】
【００２１】
上記実施形態について詳細に説明すべく、本発明の一実施例に係る制御プログラム及び制御装置について、図１乃至図１４を参照して説明する。図１は、本実施例に係る制御装置の構成を模式的に示す図であり、図２乃至図５は、そのバリエーションを示す図、図６は、制御装置の手段を示すブロック図である。また、図７は、制御装置を用いた処理手順を示すフローチャート図であり、図８は、画像データの記録手順の具体例を示すフローチャート図、図９は、画像データの表示手順の具体例を示すフローチャート図である。また、図１０は、データのディレクトリ構造を示す図、図１１は、記録媒体におけるデータの記録領域を示す図、図１２は、記録媒体（ＣＤ−Ｒ）の構造を模式的に示す図であり、図１３及び図１４は、コンピュータ機器の表示手段に表示される画面の一例を示す図である。なお、本明細書及び特許請求の範囲における論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００２２】
図１に示すように、本実施例の制御装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１０を介してサーバ１１に接続するネットワーク接続部等のデータ入力手段と、ブランク又は既に画像データが記録された記録媒体９を装填する記録媒体装填部４と、ボタン、キーボード、マウス等の操作手段６及びＬＣＤ、ＣＲＴ等の表示手段５（図では操作手段６と表示手段５とを兼ね備えるタッチパネルを示している。）とを備えている。
【００２３】
また、制御装置１に備える主な手段をブロック図で示すと図６のようになり、記録媒体９の所定の領域に特定の識別情報が記録されているかに基づいて、該記録媒体９が特定の記録媒体であるかを判断する第１の判断手段１２ａ、該記録媒体９に画像データが記録されているかを判断する第２の判断手段１２ｂ、該画像データが所定のルールに従って記録されているかを判断する第３の判断手段１２ｃなどの判断手段１２と、メディア装填部２や機器接続部３、ネットワーク接続部、記録媒体装填部４などを用いて画像データ（静止画像データや動画データ、画像情報を含むデータなどを総称して画像データと呼ぶ。）を入力するデータ入力手段１３と、必要に応じて、画像データのデータサイズを縮小したサムネイル画像データやスクリーンネイル画像データなどの縮小画像データを生成したり、画像データに基づいてＤＶＤプレーヤやＤＶＤレコーダ、ＨＤＤレコーダ、ゲーム機等の画像再生機器で読み取り可能なＶｉｄｅｏ−ＣＤ形式、ＤＶＤ−Ｖｉｄｅｏ形式、ＨＤＴＶ形式などの画像データを生成するデータ生成手段１４と、これらの画像データを記録媒体９に記録する制御を行う記録制御手段１５と、記録媒体９に記録された画像データを表示手段５に表示させる制御を行う表示制御手段１６と、画像データの選択などを行う操作手段６とを備えている。
【００２４】
なお、上記各手段は制御装置１にハードウェアとして構成されていてもよいが、コンピュータを、少なくとも、判断手段１２、記録制御手段１５、表示制御手段１６として機能させる制御プログラムとして構成し、該制御プログラムを制御装置１にインストールして実行する構成とすることができる。また、図１では制御装置１としてパーソナルコンピュータなどのコンピュータ機器を示しているが、制御装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしたり、演算処理機能を備えるカーナビゲーション装置などとすることもできる。
【００２５】
上記構成の制御装置１（制御プログラム）を用いて各種処理を実行する手順について、図７乃至図９のフローチャート図を参照して説明する。
【００２６】
まず、ステップＳ１０１で、制御装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填する。
【００２７】
次に、ステップＳ１０２で、第１の判断手段１２ａは、記録媒体９の所定の領域から特定の識別情報を読み出す。その際、上記識別情報の記録場所や中身が容易に知られてしまうと識別情報自体もコピーされてしまい、記録媒体９の不正な複製を防止することができなくなってしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ）による情報などとすることが好ましい。
【００２８】
ここで、一般的な記録媒体の構造について、図１２を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。
【００２９】
なお、この識別情報の具体的な構成は任意であり、上記以外の案内溝変調（ＡＴＩＰ）であるリードイン開始時間、最大リードアウト開始可能時間等も適宜設定することで識別情報として利用することができ、記録媒体が正規に作成されたものか否かを簡単かつ確実に識別することができる。
【００３０】
次に、所定の領域に特定の識別情報が記録されている場合は、ステップＳ１０３で、第２の判断手段１２ｂを用いて、記録媒体９に予め画像データが記録されているかを判断する。ここで、記録媒体９がブランクの記録媒体（すなわち、データが何も記録されていない記録媒体）であるか否かを判断するのではなく、画像データが記録されているか否かを判断しているのは、記録媒体９に予め特定のデータ（例えば、上記識別情報）やアプリケーション（例えば、画像データを表示させるためのアプリケーション）が記録されていても画像データを記録することができるため、何も記録されていない記録媒体を用いる必要がないからである。そして、判断の結果、記録媒体９に画像データが記録されていない場合は、後述する書き込みフローを実行する。なお、画像データが記録されている場合であっても、書き込まれている画像データの容量が小さければ更に画像データを追記することは可能であるが、その場合は該画像データを一旦表示させた後に記録するものとして、直ちに書き込みフローは実行しない。
【００３１】
また、画像データが記録されている場合は、直ちに該画像データの表示を行ってもよいが、必要に応じて、ステップＳ１０４で、第３の判断手段１２ｃを用いて、該画像データが所定のルールに従って記録されているか否かを判断する。具体的には、画像データが図１０に示すようなディレクトリ構造で記録されているか（例えば、所定の名称のフォルダ（PS_RollやROYYMMDDyyy_XXXXXXAABxxxなど）、画像データが所定のファイル形式のデータであるか（例えば、ｊｐｇなどの形式の画像データであるか）、記録媒体９に特定の情報ファイル（例えば、記録媒体９に記録されている画像データを管理するための情報が記録された情報ファイルなど）が記録されているか、記録媒体９に所定のアプリケーション（例えば、スライドショープログラムや編集プログラム、書き込みプログラムなど）が記録されているかを調べ、該当する場合は所定のルールに従って記録されていると判断し、該当しない場合は所定のルールに従っていないと判断する。
【００３２】
なお、ステップＳ１０３で、記録媒体９に既に画像データが記録されている場合に直ちに表示フローに移る場合は、本ステップは省略してもよい。また、ここでは所定のルールとして、ディレクトリ構造とファイル形式と特定の情報ファイルの有無と特定のプログラムの有無とを例示したが、所定のルールは記録媒体９に記録された画像データを表示したり、保存、管理する上で有益なルールであればよく、上記以外のルールを用いてもよい。そして、判断の結果、画像データが所定のルールに従って記録されている場合は、後述する表示フローを実行する。
【００３３】
また、所定のルールに従って記録されていない場合は、ステップＳ１０５で、画像データが所定のルールに従って記録されていない旨の警告画面を表示する。この警告画面の構成は任意であり、画像データが所定のルールで記録されていないことをユーザに知らせるものであればよく、例えば、記録媒体９に特定のアプリケーション（スライドショープログラム）が記録されていない場合は、表示手段５に図１４に示すような警告画面２１を表示することができる。
【００３４】
ここで、画像データが所定のルールに従って記録されていない場合に表示フローを実行しないのは、例えば、画像データが所定のディレクトリ構造で記録されてない場合や特定の情報ファイルが記録されていない場合は、アプリケーションが表示すべき画像データを特定することができず、また、画像データが所定のファイル形式で記録されていない場合は、アプリケーションが該画像データを利用できない場合があり、また、特定のアプリケーションが記録されていない場合は、画像データを効果的に表示できないからである。なお、ここでは、警告画面を表示した後に処理を終了しているが、画像データが所定のルールに従って記録されていない場合でも、該画像データを表示できる場合もあるため（例えば、特定のアプリケーションが記録媒体９に記録されていないが、該アプリケーションが既に制御装置１にインストールされている場合など）、警告表示の後に表示フローを実行するようにしてもよい。
【００３５】
以下、記録媒体９に画像データを記録する処理及び記録媒体９に記録された画像データを表示する処理の具体例を示すが、これらの処理は下記記載に限定されるものではなく、少なくとも画像データを記録媒体９に記録したり、画像データを表示手段５に表示させるステップを含んでいればよい。
【００３６】
まず、特定の記録媒体９に画像データを記録する手順について、図８のフローチャート図を参照して説明する。
【００３７】
始めに、ステップＳ２０１で、制御装置１のメディア装填部２にメディア８を装填、又は、機器接続部３にデジタルカメラ７やカメラ付き携帯電話機７ａを接続、又はネットワーク接続部を通信ネットワーク１０に接続する。
【００３８】
次に、ステップＳ２０２で、データ入力手段１３を用いて、デジタルカメラ７やメディア８に記録された画像データやサーバ１１に記録された画像データを読み取り、必要に応じて、表示手段５や操作手段６を用いて記録媒体９に記録する画像データを選択する。
【００３９】
次に、ステップＳ２０３で、必要に応じて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００４０】
次に、ステップＳ２０４で、必要に応じて、読み取った画像データに基づいて動画データを生成し、該動画データをＤＶＤプレーヤやＤＶＤレコーダ、ＨＤＤレコーダ、ゲーム機等の画像再生機器で読み取り可能なデータ（Ｖｉｄｅｏ−ＣＤ形式、ＤＶＤ−Ｖｉｄｅｏ形式、ＨＤＴＶ形式などのデータ）に変換する。なお、画像データから動画データを生成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００４１】
次に、記録媒体９に読み取った画像データや生成したデータを記録するが、その際、画像再生機器ではデータを読み込むことができる記録領域が限定されるため、ステップＳ２０５で、記録制御手段１５を用いて、生成した動画データや関連付けファイル等（以下、これらを総称して画像再生機器用データ群と呼ぶ。）を記録媒体９の論理アドレス領域の内側に記録する。
【００４２】
次に、必要に応じてセッションをクローズした後、ステップＳ２０６で、記録制御手段１５を用いて、読み取ったオリジナル画像データや、必要に応じてサムネイル画像データやスクリーンネイル画像データなどの縮小画像データ、スライドショープログラムなどのアプリケーション、スライドショーの設定ファイルなど（以下、これらを総称してコンピュータ機器用データ群と呼ぶ。）を記録媒体９に先に記録された画像再生機器用データ群の外側に記録して一連の書き込み処理を終了する。
【００４３】
上記手順で作成された記録媒体９には、図１１に示すように各種情報が記録され、ディスク型記録媒体９の最も内側の論理アドレス領域外には、所定の形式（好ましくはファイル形式でないデータ形式）の識別情報が記録され、その外側の論理アドレス領域の内側には、画像再生機器用データ群が記録され、更にその外側の領域にはコンピュータ機器データ群が記録される。
【００４４】
また、上記手順で作成された記録媒体９のディレクトリ構造は、例えば、図１０に示すようになり、”PS_Roll”フォルダ内のオリジナル画像データやサムネイル画像データ、スクリーンネイル画像データ、特定の情報ファイル（info.txt）、”APPL”フォルダ内のスライドショープログラム、スライドショーの設定ファイル、自動起動ファイル（Autorun.inf）などでコンピュータ機器用データ群が構成され、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで画像再生機器用データ群が構成される。
【００４５】
なお、画像データのディレクトリ構造は任意であるが、画像データをコンピュータ機器１０などにバックアップした場合における管理を容易にするために、例えば、図１０に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像データをCCYYMMDDxxxxxx（CC：画像データの種別、YYMMDD：書き込み年月日を特定する数字、xxxxxx：シーケンシャル番号）などにリネームすることもできる。
【００４６】
また、図１０では、画像データを管理するための情報が記述された特定の情報ファイルとしてテキスト形式のファイルを示しているが、情報ファイルの形式は任意であり、例えば、写真業界で推奨されている専用のファイル（例えば、拡張子がｐｖｍのファイル）などを用いてもよい。この形式のファイルには、画像再生機器の再生指示情報（例えば、再生順やスライド間隔、スライド効果、画像回転、ＢＧＭなど）や画像検索情報（マニュアル入力された情報やアプリケーションで自動認識される情報、撮影時に記録される画像ヘッダ情報など）、データ履歴情報（コピーや移住に関する情報、画像データの保管パス情報など）、ＩＤ情報（ディスクＩＤやショップＩＤ、ショップＵＲＬなど）が記録されるため、画像データの管理を容易にすることができる。
【００４７】
次に、特定の記録媒体９に所定のルールに従って記録されている画像データを表示する手順について、図９のフローチャート図を参照して説明する。
【００４８】
まず、ステップＳ３０１で、データ入力手段１３を用いて、記録媒体装填部４に装填された記録媒体９から画像データを読み取る。その際、全ての画像データを読み取ってもよいし、表示手段５や操作手段６を用いて選択した画像データのみを読み取るようにしてもよい。
【００４９】
次に、ステップＳ３０２で、表示制御手段１６を用いて、読み取った画像データを表示手段５に表示する。この表示制御手段１６によって表示手段５に表示される画面は任意であるが、例えば、図１３に示すように、画像データの供給元（例えば、記録媒体９やコンピュータ機器のＨＤＤ、デジタルカメラ７やメディア８等）を示すタグ表示欄１８と、画像データの縮小画像（サムネイル画像）を一覧表示するアルバム表示欄１９と、画像データを用いた処理を選択する作業メニュー欄２０とで構成される画像表示画面１７を表示させることができる。
【００５０】
そして、ユーザはアルバム表示欄１９に表示された画像を閲覧し、ステップＳ３０３で、その中から所望の画像を選択した後、ステップＳ３０４で作業メニュー欄２０から所望の作業（例えば、店にプリント注文）を選択すると、選択した作業に応じた画面が表示され、ステップＳ３０５で、この画面に従って操作することにより、選択した作業が実行される。
【００５１】
このように、第１の判断手段１２ａを用いて、記録媒体９の所定の領域（好ましくは論理アドレス領域外）に特定の識別情報が記録されているかに基づいて、装填された記録媒体９が特定の記録媒体であるか判断し、第２の判断手段１２ｂを用いて、該特定の記録媒体９に既に画像データが記録されているかを判断し、第３の判断手段１２ｃを用いて、画像データが所定のルールに従って記録されているかを判断し、その判断結果に応じて、記録媒体９に画像データを記録するか、記録媒体９に既に記録された画像データを表示するか、警告画面を表示するかが決定されるため、ユーザ自らが識別情報や画像データの有無、所定のルールを調査したり判断する必要がなくなり、操作性を格段に向上させることができる。
【００５２】
なお、上記実施例では、制御プログラムにより画像データの書き込み又は表示を行う場合について記載したが、本発明は上記実施例に限定されるものではなく、記録媒体９の状態に応じてその後の処理が自動的に選択される構成であればよく、書き込み又は表示以外の処理（例えば、画像データが所定のルールに従って記録されている場合に、画像データを表示する代わりに該画像データのバックアップを行うなど）を実行する構成とすることもできる。
【００５３】
また、記録媒体９に記録されるデータは画像データに限らず、音楽データなどの他の種類のデータを用いることもでき、その場合は、制御プログラムにより音楽データの書き込み又は再生などが自動的に選択される構成とすることができる。
【図面の簡単な説明】
【００５４】
【図１】本発明の一実施例に係る制御装置の構成を模式的に示す図である。
【図２】本発明の一実施例に係る制御装置の他の構成を示す図である。
【図３】本発明の一実施例に係る制御装置の他の構成を示す図である。
【図４】本発明の一実施例に係る制御装置の他の構成を示す図である。
【図５】本発明の一実施例に係る制御装置の他の構成を示す図である。
【図６】本発明の一実施例に係る制御装置の構成を示すブロック図である。
【図７】本発明の一実施例に係る制御装置を用いた処理手順を示すフローチャート図である。
【図８】本発明の一実施例に係る制御装置を用いた画像データの書き込み手順を示すフローチャート図である。
【図９】本発明の一実施例に係る制御装置を用いた画像データの表示手順を示すフローチャート図である。
【図１０】本発明の一実施例に係る記録媒体におけるデータのディレクトリ構造を示す図である。
【図１１】本発明の一実施例に係る記録媒体におけるデータの記録領域を模式的に示す図である。
【図１２】記録媒体（ＣＤ−Ｒ）の構造を模式的に示す図である。
【図１３】本発明の一実施例に係るコンピュータ機器の表示手段に表示される画面構成例（画像表示画面）を示す図である。
【図１４】本発明の一実施例に係るコンピュータ機器の表示手段に表示される画面構成例（警告画面）を示す図である。
【符号の説明】
【００５５】
１  制御装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  通信ネットワーク
１１  サーバ
１２  判断手段
１２ａ  第１の判断手段
１２ｂ  第２の判断手段
１２ｃ  第３の判断手段
１３  データ入力手段
１４  データ変換手段
１５  表示制御手段
１６  記録制御手段
１７  画像表示画面
１８  タグ表示欄
１９  アルバム表示欄
２０  作業メニュー欄
２１  警告画面
１００  ポリカーボネート基板
１０１  有機色素層
１０２  反射層
１０３  保護層
【図１】
2006033191.tif 000003
【図２】
2006033191.tif 000004
【図３】
2006033191.tif 000005
【図４】
2006033191.tif 000006
【図５】
2006033191.tif 000007
【図６】
2006033191.tif 000008
【図７】
2006033191.tif 000009
【図８】
2006033191.tif 000010
【図９】
2006033191.tif 000011
【図１０】
2006033191.tif 000012
【図１１】
2006033191.tif 000013
【図１２】
2006033191.tif 000014
【図１３】
2006033191.tif 000015
【図１４】
2006033191.tif 000016